(57)【要約】【課題】合成により嗜好性を高めるだけでなく、実用性も高めた表示を提供する。【解決手段】画像処理装置としての機能を有する画像表示装置１は、時刻を計時する計時部１１と、被写体が存在する画像データから被写体画像を抽出する被写体画像抽出部１４と、計時部１１によって計時された時刻に対応した、被写体画像抽出部１４により抽出された被写体画像を指針として用いたアナログ時計を表示する表示部１２と、を備える。【選択図】図８
2011257323.tif 000002
【特許請求の範囲】
【請求項１】
時刻を計時する計時手段と、
被写体が存在する被写体存在画像から被写体画像を抽出する抽出手段と、
前記計時手段によって計時された時刻に対応した、前記抽出手段により抽出された被写体画像を指針として用いたアナログ時計を表示する表示手段と、
を備えたことを特徴とする画像処理装置。
【請求項２】
前記表示手段は、前記少なくとも１の指針に相当する指針表示としての前記被写体画像を所定の角度回動させることによって時刻を表示することを特徴とする請求項１に記載の画像処理装置。
【請求項３】
前記抽出手段は、複数の前記被写体存在画像のそれぞれから前記被写体画像を抽出し、
前記表示手段は、前記計時手段により計時された時刻に応じて、前記抽出手段により抽出された複数の前記被写体画像の中から前記指針表示とすべき画像を選択して表示することを特徴とする請求項２に記載の画像処理装置。
【請求項４】
前記表示手段は、所定期間内にて、所定の単位時間ごとに異なる前記被写体画像を前記指針表示として表示することを特徴とする請求項３に記載の画像処理装置。
【請求項５】
前記抽出手段は、動画像を構成する複数のフレーム画像を前記複数の前記被写体存在画像として、これらの被写体存在画像のそれぞれから前記被写体画像を抽出し、
前記表示手段は、前記抽出手段により抽出された前記複数の前記被写体画像の中から、前記所定の単位時間ごとに異なる画像を前記指針表示とすべき画像として選択して表示することを特徴とする請求項４に記載の画像処理装置。
【請求項６】
前記表示手段は、前記指針表示の回動範囲により規定される所定の時間帯ごとに、前記抽出手段により抽出された複数の前記被写体画像の中から前記指針表示とすべき画像を選択して表示することを特徴とする請求項３に記載の画像処理装置。
【請求項７】
前記表示手段は、前記指針表示として、時針、分針及び秒針の各々に相当する時針表示、分針表示及び秒針表示の各々を表示し、
前記抽出手段は、少なくとも１の前記被写体存在画像から画像領域の大きさが互いに異なる３つ以上の前記被写体画像を抽出し、
前記抽出手段により抽出された前記３つ以上の被写体画像のそれぞれの画像領域の大きさに基づいて、前記時針表示、前記分針表示及び前記秒針表示の各々として表示する前記被写体画像をそれぞれ決定する決定手段を更に備え、
前記表示手段は、この決定手段により前記時針表示、前記分針表示及び前記秒針表示の各々として決定された前記被写体画像を表示することを特徴とする請求項２〜６の何れか一項に記載の画像処理装置。
【請求項８】
画像処理装置のコンピュータを、
時刻を計時する計時手段、
被写体が存在する被写体存在画像から被写体画像を抽出する抽出手段、
前記計時手段によって計時された時刻に対応した、前記抽出手段により抽出された被写体画像を指針として用いたアナログ時計を表示部に表示させる表示手段、
として機能させることを特徴とするプログラム。
【発明の詳細な説明】
【技術分野】
【０００１】
本発明は、画像処理装置及びプログラムに関する。
【背景技術】
【０００２】
従来より、撮像された動画像について、アンダーレイによる合成やオーバーレイによる合成技術を用いて合成する技術が知られている（例えば、特許文献１参照）。
【先行技術文献】
【特許文献】
【０００３】
【特許文献１】特開２００４−１５９１５８号公報
【発明の概要】
【発明が解決しようとする課題】
【０００４】
上記特許文献１の技術では、合成する目的で被写体が切り抜かれたフレーム画像を用いているが、合成画像を生成するためにこれらの画像を用いるのは利用上、効率が良くないという問題があった。
【０００５】
そこで、本発明の課題は、合成により嗜好性を高めるだけでなく、実用性も高めた表示を提供することにある。
【課題を解決するための手段】
【０００６】
上記課題を解決するため、請求項１に記載の発明の画像処理装置は、時刻を計時する計時手段と、被写体が存在する被写体存在画像から被写体画像を抽出する抽出手段と、前記計時手段によって計時された時刻に対応した、前記抽出手段により抽出された被写体画像を指針として用いたアナログ時計を表示する表示手段と、を備えたことを特徴とする。
【０００７】
請求項２に記載の発明は、請求項１に記載の画像処理装置において、前記表示手段は、前記少なくとも１の指針に相当する指針表示としての前記被写体画像を所定の角度回動させることによって時刻を表示することを特徴とする。
【０００８】
請求項３に記載の発明は、請求項２に記載の画像処理装置において、前記抽出手段は、複数の前記被写体存在画像のそれぞれから前記被写体画像を抽出し、前記表示手段は、前記計時手段により計時された時刻に応じて、前記抽出手段により抽出された複数の前記被写体画像の中から前記指針表示とすべき画像を選択して表示することを特徴とする。
【０００９】
請求項４に記載の発明は、請求項３に記載の画像処理装置において、前記表示手段は、所定期間内にて、所定の単位時間ごとに異なる前記被写体画像を前記指針表示として表示することを特徴とする。
【００１０】
請求項５に記載の発明は、請求項４に記載の画像処理装置において、前記抽出手段は、動画像を構成する複数のフレーム画像を前記複数の前記被写体存在画像として、これらの被写体存在画像のそれぞれから前記被写体画像を抽出し、前記表示手段は、前記抽出手段により抽出された前記複数の前記被写体画像の中から、前記所定の単位時間ごとに異なる画像を前記指針表示とすべき画像として選択して表示することを特徴とする。
【００１１】
請求項６に記載の発明は、請求項３に記載の画像処理装置において、前記表示手段は、前記指針表示の回動範囲により規定される所定の時間帯ごとに、前記抽出手段により抽出された複数の前記被写体画像の中から前記指針表示とすべき画像を選択して表示することを特徴とする。
【００１２】
請求項７に記載の発明は、請求項２〜６の何れか一項に記載の画像処理装置において、前記表示手段は、前記指針表示として、時針、分針及び秒針の各々に相当する時針表示、分針表示及び秒針表示の各々を表示し、前記抽出手段は、少なくとも１の前記被写体存在画像から画像領域の大きさが互いに異なる３つ以上の前記被写体画像を抽出し、前記抽出手段により抽出された前記３つ以上の被写体画像のそれぞれの画像領域の大きさに基づいて、前記時針表示、前記分針表示及び前記秒針表示の各々として表示する前記被写体画像をそれぞれ決定する決定手段を更に備え、前記表示手段は、この決定手段により前記時針表示、前記分針表示及び前記秒針表示の各々として決定された前記被写体画像を表示することを特徴とする。
【００１３】
請求項８に記載の発明のプログラムは、画像処理装置のコンピュータを、時刻を計時する計時手段、被写体が存在する被写体存在画像から被写体画像を抽出する抽出手段、前記計時手段によって計時された時刻に対応した、前記抽出手段により抽出された被写体画像を指針として用いたアナログ時計を表示部に表示させる表示手段、として機能させることを特徴とする。
【発明の効果】
【００１４】
本発明によれば、合成により嗜好性を高めるだけでなく、実用性も高めた表示を提供することができる。
【図面の簡単な説明】
【００１５】
【図１】本発明を適用した一実施形態の画像処理装置としての機能を有するフォトフレームの主要構成を示すブロック図である。
【図２】フォトフレームによる時計表示処理の一例を示すフローチャートである。
【図３】指針表示処理の流れの一例を示すフローチャートである。
【図４】図３の続きを示すフローチャートである。
【図５】画像データ及び被写体画像の一例を示す図である。
【図６】動画像のフレーム画像から被写体画像を抽出する一例を示す図である。
【図７】毎秒、秒針表示の被写体画像を異ならせる一例を示す図である。
【図８】被写体画像を指針表示とするアナログ時計表示の一例を示す図である。
【図９】所定の時間帯ごとに指針表示としての被写体画像を異ならせる設定の一例を示す図である。
【図１０】所定の時間帯ごとに指針表示としての被写体画像を異ならせる一例を示す図である。
【図１１】１つの画像データからそれぞれ画像領域の大きさが異なる３つの被写体画像を抽出する一例を示す図である。
【図１２】画像領域の大きさが異なる３つの被写体画像を、時針表示、分針表示及び秒針表示のそれぞれに用いた時計表示の一例を示す図である。
【発明を実施するための形態】
【００１６】
以下に、本発明について、図面を用いて具体的な態様を説明する。ただし、発明の範囲は、図示例に限定されない。
【００１７】
図１は、本発明を適用した一実施形態の画像表示装置１の主要構成を示すブロック図である。
本実施形態の画像表示装置１は、例えば、卓上に設置されるデジタルフォトフレーム等であり、外部機器（例えば、デジタルカメラ２等）等からデータを取得し、取得したデータに基づく表示を表示部１２により行う。
具体的には、画像表示装置１は、例えば、図１に示すように、計時部１１と、表示部１２と、データ取得部１３と、被写体画像抽出部１４と、記憶部１５と、入力部１６と、表示制御部１７と、ＣＰＵ１８と、を備えて構成されている。被写体画像抽出部１４と、表示制御部１７と、ＣＰＵ１８と、は、例えば、カスタムＬＳＩ（図示略）として設計されている。
【００１８】
計時部１１は、時刻を計時する。計時部１１は、例えば、時刻を計時する回路や当該回路を稼動させる電池等からなる。ここで、計時部１１は、時刻を計時する計時手段を構成している。
【００１９】
表示部１２は、例えば、液晶ディスプレイ（ＬＣＤ）や有機エレクトロルミネッセンス（Electro-Luminescence：ＥＬ）ディスプレイ等からなり、表示制御部１７から出力されて入力される表示制御信号の内容に応じた表示を行う。
【００２０】
データ取得部１３は、画像データを取得する。本実施形態において、データ取得部１３により取得される画像データ（例えば図５（ａ）に示す画像データＰ）の画像領域には、被写体（例えば図５（ａ）に示す被写体Ｈ）に対応するデータ（被写体存在画像）が含まれている。
【００２１】
データ取得部１３は、静止画像データ及び動画像データを画像データとして取得する。また、データ取得部１３は、複数の画像データを取得することができる。
データ取得部１３は、例えば、外部機器と所定の通信ケーブル（例えば、ＵＳＢケーブル等）を介して接続される外部入出力端子１３ａを備え、外部機器から画像データを取得する。
【００２２】
被写体画像抽出部１４は、データ取得部１３を介して取得された、被写体が存在する画像データから被写体画像を抽出する。
具体的には、被写体画像抽出部１４は、画像データの画像領域から被写体領域を切り抜き、切り抜いた被写体領域を被写体画像（例えば図５（ｂ）に示す被写体画像Ｔ）とする。ここで、被写体画像抽出部１４は、被写体が存在する被写体存在画像から被写体画像を抽出する抽出手段を構成している。
【００２３】
画像データの画像領域から被写体領域を切り抜く方法は特に限定されない。
被写体領域を切り抜く方法として、例えば、被写体の輪郭をユーザの入力操作により決定する方法が挙げられる。この場合、例えば、画像表示装置１はタッチパネル等の入力装置を備え、表示部１２に表示された画像に含まれる被写体の輪郭を決定するための入力操作を受け付ける。具体的には、タッチパネルが、表示部１２の画像表示領域をなす表示画面に直接的若しくは間接的に接触するユーザの指（手）やタッチペン等の接触位置を検出する。タッチパネルは、例えば、表示画面上或いは当該表示画面よりも内側に設けられ、抵抗膜方式、超音波表面弾性波方式、静電容量方式等の各種方式により、表示画面上における接触位置のＸＹ座標を検出する。そして、タッチパネルは、接触位置のＸＹ座標に係る位置信号を被写体画像抽出部１４に出力する。被写体画像抽出部１４は、タッチパネルから入力されたＸＹ座標に係る位置信号に応じた領域を抽出し、被写体画像とする。
被写体領域を切り抜く他の方法として、例えば、被写体を含む画像と被写体を含まない画像との差分抽出による方法が挙げられる。この場合、データ取得部１３は、被写体が存在する画像データ及び当該画像データから差分抽出により被写体を切り抜くための被写体が存在しない画像データの両方を取得する。そして、被写体画像抽出部１４が、被写体が存在する画像データ及び被写体が存在しない画像データとの比較結果に基づいてマスクデータを生成し、当該マスクデータを被写体が存在する画像データと合成して被写体画像を抽出する。
【００２４】
また、画像データが動画像データである場合、被写体画像抽出部１４は、動画像を構成する複数のフレーム画像の一部又は全部を複数の被写体存在画像として、これらの被写体存在画像から被写体画像を複数抽出する（例えば図６に示す被写体画像Ｔ１、Ｔ２、Ｔ３）。
【００２５】
被写体画像を抽出する画像データは、ユーザの入力指示に基づいて決定される。例えば、入力部１６の上下左右移動キーや決定キー（図示略）に対するユーザの入力操作により選択された画像データから被写体画像を抽出する。
画像データの選択において、ユーザは、一又は複数の画像データを選択することができる。複数の画像データが選択されている場合、被写体画像抽出部１４は、複数の画像データのそれぞれから被写体画像を抽出する。
【００２６】
記憶部１５は、例えば、不揮発性のメモリ等からなり、画像表示装置１に時計表示を行うときの構成部品画像（例えば図８に示す時計枠Ｇ１や、識別子画像Ｇ２、Ｇ３、Ｇ４、Ｇ５等）のデータ等を記憶する。
【００２７】
入力部１６は、例えば、画像データの選択、送り操作等を行うための上下左右移動キーや決定キー、表示部１２に時計表示を行わせる時計表示キー、表示部１２による表示を終了させる表示終了キー等の各種機能キーを備え、ユーザにより操作されたキーの操作信号を表示制御部１７に出力するようになっている。
【００２８】
表示制御部１７は、入力部１６に対する入力内容や、データ取得部１３を介して取得される画像データに基づいて、被写体画像を用いた時計表示を表示部１２に行わせる。
入力部１６の時計表示キーに対する入力操作が行われると、表示制御部１７は、計時部１１により計時された時刻を取得し、取得された時刻をアナログ時計による時刻表示に相当する表示態様で表示する時計表示処理を行う。具体的には、表示制御部１７は、少なくとも１の指針に相当する指針表示を所定の角度回動させることによって時刻を表示するための表示制御信号を生成し、表示部１２へ出力する。指針表示の例としては、時針表示、分針表示及び秒針表示等が挙げられる。ここで、表示制御部１７は、表示部１２と協働することにより、計時部１１により計時された時刻を、アナログ時計による時刻表示に相当する表示態様で表示する表示手段として機能する。
【００２９】
被写体画像抽出部１４から被写体画像を入力されると、表示制御部１７は、時針表示、分針表示及び秒針表示等の指針表示として被写体画像を表示部１２へ表示させる（例えば図８に示す時針表示としての被写体画像Ｔａ、分針表示としての被写体画像Ｔｂ及び秒針表示としての被写体画像Ｔｃ）。ここで、表示制御部１７は、被写体画像抽出部１４により抽出された被写体画像を、アナログ時計の少なくとも１の指針に相当する指針表示として選択し、表示部１２に表示させる。
【００３０】
表示制御部１７は、時針表示、分針表示及び秒針表示として表示する被写体画像をそれぞれ決定するにあたり、１つの被写体画像を３つに複製する。そして、表示制御部１７は、複製された３つの被写体画像のそれぞれを時針表示、分針表示及び秒針表示として表示する。
また、表示制御部１７は、時針表示、分針表示及び秒針表示のそれぞれに割り当てた被写体画像をそれぞれ異なる大きさで表示部１２に表示させるためのサイズ変更処理を行う。具体的には、表示制御部１７は、図８に示すように、秒針表示としての被写体画像Ｔｃを最も大きくし、時針表示としての被写体画像Ｔａを最も小さくし、分針表示としての被写体画像Ｔｂを秒針表示としての被写体画像と時針表示としての被写体画像との中間の大きさとする。
【００３１】
また、表示制御部１７は、被写体画像抽出部１４により複数の被写体画像が抽出、入力された場合、被写体画像抽出部１４により抽出された複数の被写体画像の中で、計時部１１により計時された時刻に応じて、異なる被写体画像を指針表示として表示部１２に表示させる。具体的には、表示制御部１７は、所定期間内にて、所定の単位時間ごとに指針表示としての被写体画像（例えば秒針表示等）を異ならせて表示手段に表示させる表示部１２に表示させる。
【００３２】
例えば、動画像データに基づいて複数（例えば３）の被写体画像（例えば図６に示す被写体画像Ｔ１、Ｔ２、Ｔ３）が被写体画像抽出部１４に抽出されている場合、表示制御部１７は、抽出された複数の被写体画像の数（例えば３）に応じた所定期間（例えば３秒間）の毎秒と、当該複数の被写体画像のそれぞれとを対応付ける。そして、表示制御部１７は、当該対応付けに基づいて、所定の単位時間（例えば１秒）ごとに異なる被写体画像を秒針表示として表示部１２に表示させる。
【００３３】
本実施形態では、指針表示としての被写体画像をその１秒前に表示されていた指針表示としての被写体画像と異ならせるのは、秒針表示のみである。時針表示及び分針表示の被写体画像は、複数の被写体画像のうち１つの被写体画像に固定される。秒針表示として表示される被写体画像の画像領域の大きさは、前述のサイズ変更処理において秒針表示としての被写体画像の大きさに統一されるよう処理しても良い。
【００３４】
入力部１６の表示終了キーに対する入力操作が行われると、表示制御部１７は、表示部１２による指針表示を終了させて、時計表示処理を終了させる。
【００３５】
ＣＰＵ１８は、画像表示装置１の各部を制御するものである。具体的には、ＣＰＵ１０は、画像表示装置１の各種処理プログラム（図示略）に従って各種の制御動作を行うものである。
【００３６】
次に、画像表示装置１による時計表示処理について、図２及至図４を参照して説明する。
画像表示装置１のＣＰＵ１８は、入力部１６の時計表示キーに対する入力操作が行われるまで待機する（ステップＳ１；ＮＯ）。時計表示キーに対する入力操作が行われると（ステップＳ１；ＹＥＳ）、ＣＰＵ１８は、指針表示に用いる被写体画像を抽出する元となる画像データの選択をユーザに行わせるための選択画面表示を表示部１２に行わせる（ステップＳ２）。
【００３７】
ステップＳ２の処理後、ＣＰＵ１８は、ユーザにより画像データが選択されるまで待機する（ステップＳ３；ＮＯ）。ユーザにより画像データが選択されると（ステップＳ３；ＹＥＳ）、ＣＰＵ１８は、選択された画像データを取得して被写体画像抽出部１４に入力する。被写体画像抽出部１４は入力された画像データから被写体画像を抽出し（図５（ａ）、（ｂ）及び図６を参照）、表示制御部１７へ出力する（ステップＳ４）。
【００３８】
ここで、被写体画像抽出部１４による被写体画像の抽出について、図を用いて例示する。
まず、静止画像の画像データから被写体画像を抽出する場合について、図５（ａ）、（ｂ）を用いて説明する。図５（ａ）は、被写体が存在する画像データの描画内容の一例を示す図である。図５（ｂ）は、図５（ａ）に示す画像データに基づいて抽出された被写体画像の一例を示す図である。
【００３９】
次に、動画像のフレーム画像から被写体画像を抽出する場合について、図６を用いて説明する。図６は、動画像のフレーム画像から被写体画像を抽出する一例を示す図である。
図６に示す例では、秒間２０フレームの動画像データに含まれ、毎秒の１フレーム目となるフレーム画像（図６に示すフレーム画像Ｆ１、Ｆ２、Ｆ３）から、被写体（図６に示す被写体Ｈ１、Ｈ２、Ｈ３）を含む被写体領域を切り抜いて被写体画像（図６に示す被写体画像Ｔ１、Ｔ２、Ｔ３）を抽出する例を示している。動画像のフレーム画像から被写体画像を抽出する処理内容は、当該例示に限られるものではなく、被写体画像抽出部１４は予め定められた切り抜き条件に基づいて動画像データから被写体画像を切り抜くことができる。切り抜き条件は任意に決定することができる。
【００４０】
ステップＳ４の処理後、表示制御部１７は、指針表示処理を行う（ステップＳ５）。
指針表示処理について、図３及び図４を用いて説明する。
表示制御部１７は、ステップＳ４において入力された１又は複数の被写体画像のうち１つの被写体画像を３つに複製する（ステップＳ１１）。そして、表示制御部１７は、複製された３つの被写体画像のそれぞれを、時針表示、分針表示及び秒針表示としてそれぞれ異なる大きさで表示部１２に表示させるためのサイズ変更処理を行う（ステップＳ１２）。
【００４１】
また、表示制御部１７は、ステップＳ４において被写体画像抽出部１４により抽出、入力された被写体画像が、複数の被写体画像であるか否か判定する（ステップＳ１３）。例えば、ステップＳ４において動画を構成する各フレーム画像から被写体画像が抽出された場合は、入力された被写体画像が複数の被写体画像であると判断する。ステップＳ４において被写体画像抽出部１４により抽出、入力された被写体画像が複数であると判定された場合（ステップＳ１３；ＹＥＳ）、表示制御部１７は、被写体画像の数に応じて、所定期間と複数の被写体画像のそれぞれとを対応付ける（ステップＳ１４）。つまり、各被写体画像について、表示させる期間（時間）を対応付ける。
【００４２】
ステップＳ１４の処理後又はステップＳ１３の判定において被写体画像抽出部１４により抽出、入力された被写体画像が複数でないと判定された場合（ステップＳ１３；ＮＯ）、表示制御部１７は、記憶部１５から構成部品画像（例えば図８に示す時計枠Ｇ１や、識別子画像Ｇ２、Ｇ３、Ｇ４、Ｇ５等）を取得して表示部１２に表示させる（ステップＳ１５）。また、表示制御部１７は、計時部１１から現在時刻を取得する（ステップＳ１６）。
【００４３】
次に、表示制御部１７は、ステップＳ１４の処理により複数の被写体画像の数に応じた所定期間と複数の被写体画像のそれぞれとの対応付けがなされているか否か判定する（ステップＳ１７）。ステップＳ１４の処理により複数の被写体画像の数に応じた所定期間と複数の被写体画像のそれぞれとの対応付けがなされている場合（ステップＳ１７；ＹＥＳ）、表示制御部１７は、ステップＳ１６で得られた現在時刻に対応する被写体画像を秒針表示とする（ステップＳ１８）。
【００４４】
ステップＳ１８の処理により、所定の単位時間ごとに異なる被写体画像が秒針表示として表示部１２に表示される。
図７は、毎秒、異なる被写体画像を秒針表示とする一例を示す図である。図７（ａ）は、図６に示す被写体画像Ｔ１を秒針として表示する一例を示す図である。図７（ｂ）は、秒針表示として図６に示す被写体画像Ｔ２を被写体画像Ｔ１の一秒後に表示した一例を示す図である。図７（ｃ）は、秒針表示として図６に示す被写体画像Ｔ３を被写体画像Ｔ２の1秒後に表示した一例を示す図である。図７（ｄ）は、被写体画像Ｔ３を表示して一秒後に被写体画像Ｔ１を秒針表示とする一例を示す図である。
例えば、図６に示すように、抽出された複数の被写体画像の数が３である場合、表示制御部１７は、図７（ａ）、図７（ｂ）、図７（ｃ）に示すように、３秒間、３つの被写体画像Ｔ１、Ｔ２、Ｔ３を順次、秒針表示として毎秒切り替えて表示させる。そして、３つの被写体画像の表示が一巡した後の４秒目に、表示制御部１７は、図７（ｄ）に示すように、最初の１秒目に秒針表示として表示した被写体画像Ｔ１を秒針表示とし、以後３秒間の表示切替ループを繰り返す。
【００４５】
一方、ステップＳ１７の判定において、ステップＳ１４の処理により複数の被写体画像の数に応じた所定期間と複数の被写体画像のそれぞれとの対応付けがなされていない場合（ステップＳ１７；ＮＯ）、表示制御部１７は、ステップＳ１２の処理で秒針表示としてサイズ変更処理を施された被写体画像を秒針表示とする（ステップＳ１９）（図８に示す秒針表示としての被写体画像Ｔｃを参照）。
【００４６】
ステップＳ１８又はステップＳ１９の処理後、表示制御部１７は、ステップＳ１８又はステップＳ１９の処理によって秒針表示とされた被写体画像ならびにステップＳ１２において時針表示とされた被写体画像及び分針表示とされた被写体画像をそれぞれ、ステップＳ１６で得られた現在時刻に対応する回動角度で表示部１２に表示させる（ステップＳ２０）。
【００４７】
ステップＳ２０の処理により、被写体画像を指針表示とするアナログ時計表示が表示部１２に表示される。
図８は、被写体画像を指針表示とするアナログ時計表示の一例を示す図である。
図８に示す例では、時針表示としての被写体画像Ｔａ、分針表示としての被写体画像Ｔｂ及び秒針表示としての被写体画像Ｔｃの各々が表示されている。時針表示としての被写体画像Ｔａ、分針表示としての被写体画像Ｔｂ及び秒針針表示としての被写体画像Ｔｃは、図５（ｂ）に示す被写体画像Ｔに基づく。
【００４８】
ステップＳ２０の処理後、表示制御部１７は、入力部１６の表示終了キーに対する入力操作が行われたか否かチェックする（ステップＳ２１）。入力部１６の表示終了キーに対する入力操作が行われると、表示制御部１７は、指針表示処理を終了する。指針表示処理の終了により、画像表示装置１による時計表示処理が終了する。
ステップＳ２１の判定において、入力部１６の表示終了キーに対する入力操作が行われていない場合（ステップＳ２１；ＮＯ）、ステップＳ１６の処理に戻る。
【００４９】
以上のように、本実施形態の画像表示装置１によれば、計時部１１により計時された時刻を、アナログ時計の少なくとも１つの指針に相当する指針表示を所定の角度回動させることによって表示部１２が表示する。ここで、データ取得部１３が、被写体が存在する画像データを取得し、被写体画像抽出部１４が、画像データから被写体画像を抽出する。そして、表示制御部１７が、被写体画像を、時針表示、分針表示及び秒針表示として表示部１２に表示させる。
これによって、アナログ時計の指針表示の回動角度によって時刻を表示するにあたり、被写体画像を指針表示とすることにより、被写体画像を用いて時計表示を行うことができ、実用的な表示を行うことができ、かつ、指針表示として被写体画像が用いられることで、興趣性の高い表示を行うことができる。
【００５０】
また、データ取得部１３が画像データを複数取得し、被写体画像抽出部１４が、複数の画像データのそれぞれから被写体画像を抽出する。そして、表示制御部１７が、複数の被写体画像の中で、計時部１１により計時された時刻に応じて、指針表示としての被写体画像を異ならせて表示部１２に表示させる。
これによって、時刻に応じて、指針表示としての被写体画像が異なるものとなるので、時間の遷移に伴って移り変わる指針表示に一層の面白みを付加することができ、当該指針表示としての被写体画像の遷移をユーザが視認することにより興趣性の向上を図ることができる。また、時刻に応じて指針表示としての被写体画像が異なる被写体画像となることで、指針表示の被写体画像の変化により時刻の経過のユーザによる視認性を向上させて、時刻の経過の把握を容易なものとすることができる。
【００５１】
また、表示制御部１７が、所定の単位時間ごとに、指針表示としての被写体画像を異ならせて表示部１２に表示させる。
これによって、所定の単位時間ごとに、指針表示としての被写体画像が異なるものとなるので、ユーザは、時間の遷移に伴って移り変わる指針表示としての被写体画像の遷移を見て楽しむことができ、時計表示に一層の面白みを付加することができる。また、秒針に相当する被写体画像が毎秒異なる被写体画像となることで、ユーザは、指針表示の被写体画像の変化により、時刻の経過を視認することができる。つまり、時刻（秒）の経過の視認性が大幅に向上する。
また、被写体画像抽出部１４は、画像データが動画像である場合、動画像を構成する複数のフレーム画像に基づいて被写体画像を複数抽出する。
これによって、動画像からも被写体画像を抽出することができる。
また、時刻に応じて、指針表示としての被写体画像を異ならせる場合において、動画像のフレーム画像から抽出された複数の被写体画像を用いることによって、動画像における時系列に沿った被写体の変遷を指針表示に反映させることができる。これによって、時間の遷移に伴って移り変わる指針表示に一層の面白みを付加することができ、当該指針表示としての被写体画像の遷移をユーザが視認することにより興趣性の向上を図ることができる。また、時刻に応じて指針表示としての被写体画像が異なる被写体画像となることで、指針表示の被写体画像の変化により時刻の経過のユーザによる視認性を向上させて、時刻の経過の把握を容易なものとすることができる。
【００５２】
なお、上記各実施形態に例示したものは本発明の画像処理装置の一例であり、これに限られるものではない。本発明は、上記各実施形態に限定されることなく、本発明の趣旨を逸脱しない範囲において、種々の改良並びに設計の変更を行っても良い。
【００５３】
＜変形例＞
例えば、表示制御部１７が、指針表示の回動範囲により規定される所定の時間帯ごとに、時針表示としての被写体画像、分針表示としての被写体画像及び秒針表示としての被写体画像を異ならせて表示部１２に表示させるようにしてもよい。所定の時間帯は、任意に設定することができる。
【００５４】
即ち、例えば、図９に示すように、０時から４時まで、４時から８時まで、８時から１２時までのように、時針表示の回動範囲により規定される時間帯ごとに指針表示としての被写体画像を異ならせる設定とした場合、表示制御部１７は、図１０（ａ）〜（ｃ）に示すように、各時間帯において指針表示とする被写体画像を異ならせる。図１０（ａ）に示す時計表示は、０時から４時までの時間帯において図６に示す被写体画像Ｔ１を指針表示としている一例である。図１０（ｂ）に示す時計表示は、４時から８時までの時間帯において図６に示す被写体画像Ｔ２を指針表示としている一例である。図１０（ｃ）に示す時計表示は、８時から１２時までの時間帯において図６に示す被写体画像Ｔ３を指針表示としている一例である。
ここで、例えば「０時から４時まで」とは、時刻を「時：分：秒」の形式で表した場合、0:00:00〜3:59:59を示す。同様に、「４時から８時まで」は4:00:00〜7:59:59を示し、「８時から１２時まで」は8:00:00〜11:59:59を示す。図９に示す例では、０時から１２時までの間の所定の時間帯の一例を示しているが、１２時から２４時（０時）についても同様に設定することができる。
【００５５】
各時間帯に対応する被写体画像の元となる画像データは、ユーザにより個別に指定されるようにしてもよいし、所定の条件に基づいて自動的に選択するようにしてもよい。
また、指針表示の回動範囲により規定される所定の時間帯は、時針表示の回動範囲により規定される時間帯に限らず、他の指針表示（例えば分針表示や秒針表示等）の回動範囲により規定される時間帯でもよい。また、秒針表示の回動範囲により規定される時間帯にごとに秒針表示としての被写体画像を異ならせ、分針表示の回動範囲により規定される時間帯ごとに分針表示としての被写体画像を異ならせ、時針表示の回動範囲により規定される時間帯ごとに時針表示としての被写体画像を異ならせる等、各指針表示の回動範囲により規定される所定の時間帯と被写体画像を異ならせる指針表示との関係を個別に設定してもよい。
【００５６】
指針表示の回動範囲により規定される所定の時間帯に応じて、指針表示としての被写体画像が異なるものとすることで、時間の遷移に伴って移り変わる指針表示に一層の面白みを付加することができ、当該指針表示としての被写体画像の遷移をユーザが視認することにより興趣性の向上を図ることができる。また、時刻に応じて指針表示としての被写体画像が異なる被写体画像となることで、指針表示の被写体画像の変化により時刻の経過のユーザによる視認性を向上させて、時刻の経過の把握を容易なものとすることができる。
【００５７】
また、被写体画像抽出部１４が、それぞれ画像領域の大きさが異なる３つ被写体画像を抽出し、表示制御部１７が、３つ以上の被写体画像のそれぞれの画像領域の大きさに基づいて、時針表示、分針表示及び秒針表示の各々として表示する被写体画像をそれぞれ決定し、この決定結果に基づいて、被写体画像を時針表示、分針表示及び秒針表示の各々として表示部１２に表示させるようにしてもよい。被写体画像の画像領域の大きさとは、被写体画像を表示した場合の表示サイズ（見かけ上の表示の大きさ）である。
【００５８】
例えば、描画内容に３つの被写体（例えば図１１（ａ）に示す被写体Ｈ４、Ｈ５、Ｈ６）を含む１の画像データＱからそれぞれの被写体に対応する被写体領域を切り抜いて３つの被写体画像を抽出する。図１１（ｂ）に示す例では、被写体画像抽出部１４は、それぞれ画像領域の大きさが異なる３つの被写体画像Ｔ４、Ｔ５、Ｔ６を抽出している。
【００５９】
そして、表示制御部１７は、３つの被写体画像のそれぞれの画像領域の大きさに基づいて、時針表示、分針表示及び秒針表示として表示する被写体画像をそれぞれ決定する。例えば、図１１（ｂ）に示す３つの被写体画像Ｔ４、Ｔ５、Ｔ６の場合、表示制御部１７は、３つの被写体画像の中で最も大きい画像領域を有する被写体画像Ｔ４を秒針表示として決定する。また、表示制御部１７は、３つの被写体画像の中で最も小さい画像領域を有する被写体画像Ｔ６を時針表示として決定する。そして、表示制御部１７は、秒針表示と時針表示の中間の大きさの画像領域を有する被写体画像Ｔ５を分針表示として決定する。表示制御部１７は、図１２に示すように、この決定結果に基づいて、被写体画像を時針表示、分針表示及び秒針表示として表示部１２に表示させる。
上記の被写体画像の画像領域の大小と秒針表示、分針表示及び時針表示との対応関係は一例であり、当該対応関係は任意に定めることができる。
また、被写体画像抽出部１４により４つ以上の被写体画像が抽出された場合、表示制御部１７は、４つ以上の被写体画像のうち、所定の選択基準によって選択された３つの被写体画像を時針表示、分針表示及び秒針表示として表示する被写体画像としてそれぞれ決定する。
【００６０】
以上、時針表示、分針表示及び秒針表示として表示する被写体画像の画像領域の大きさがそれぞれ異なるものとすることで、ユーザは、被写体画像の見た目の大きさにより時針表示、分針表示及び秒針表示を見分けることができる。これによって、時計表示によって示される時刻の視認性が大幅に向上する。
また、画像領域の大きさの異なる被写体画像を時針表示、分針表示及び秒針表示とすることにより、指針表示に一層の面白みを付加することができ、当該指針表示としての被写体画像の遷移をユーザが視認することにより興趣性の向上を図ることができる。
【００６１】
なお、上記各実施形態のデータ取得部１３は、外部機器と所定の通信ケーブル（例えば、ＵＳＢケーブル等）を介して接続される外部入出力端子１３ａを備え、外部機器から画像データを取得しているが、他の構成により画像データを取得してもよい。例えば、ハードディスクドライブやメモリカード等の外部記憶装置から画像データを読み出して取得するようにしてもよいし、ネットワーク接続を介して画像データを取得するようにしてもよい。取得した画像データを、画像表示装置１等の画像処理装置が備える記憶部（例えば記憶部１５）に記憶させるようにしてもよい。
【００６２】
また、上記各実施形態の被写体画像抽出部１４は、画像データから被写体領域を切り抜いて被写体画像を抽出しているが、他の方法により被写体画像を抽出してもよい。例えば、データ取得部１３により取得された画像データの描画内容が被写体のみであるか否かを被写体画像抽出部１４が判定し、被写体のみである場合には画像データをそのまま被写体画像とし、被写体のみでない場合には被写体を切り抜くようにしてもよい。
【００６３】
また、上記各実施形態の記憶部１５は、不揮発性のメモリを備えているが、他の記憶装置、例えばハードディスクドライブや、ＣＤ−ＲＯＭ等の光ディスク、ＲＯＭチップその他の記憶装置を用いてもよい。また、上記実施形態において図示する背景画像や時計パーツ画像はあくまで一例であり、任意の画像を用いることができる。背景画像や時計パーツ画像は、省略することもできる。
【００６４】
また、上記各実施形態の指針表示は一例であり、実施形態の記載内容に限らない。指針表示とは、必ずしも指針自体の軸を含まず、時刻（例えば時、分、秒等）を指し示す何らかの指標を表示する全ての表示内容を含みうるものであり、指標と時刻表示の相対的な角度関係に基づいて時刻を表示する態様を含む。例えば、所定の位置に固定された指標に対して時刻表示のための文字盤等の角度が相対的に変わることで時刻が表示される場合等が挙げられる。
また、時針表示、分針表示及び秒針表示のうち、一部の構成を省略することができる。その一例として、時針表示及び分針表示のみで時刻を表示する例が挙げられる。
【００６５】
また、上記各実施形態の図示例では、時針表示、分針表示及び秒針表示のそれぞれの回動軸の位置を同一としているが、時針表示、分針表示及び秒針表示の一部又はそれぞれの回動軸の位置を別として時刻を表示するようにしてもよい。
また、上記各実施形態の時計表示は、１２時間単位で区切られた時刻を表示するアナログ時計の形式をとっているが、これに限らない。他の時間単位（例えば２４時間単位等）の時刻を表示するようにしてもよい。
また、時針表示、分針表示又は秒針表示以外の指針表示を用いてもよい。例えば、十分の一秒を示すための指針表示等が挙げられる。
【００６６】
また、上記各実施形態において、計時部１１により計時された時刻に応じて被写体画像を異ならせる対象としている指針表示の種類は一例であり、他の指針表示の被写体画像を異ならせてもよい。
例えば、上記実施形態では、毎秒異ならせる被写体画像を秒針表示としているが、秒針に限らなくてもよい。時針表示、分針表示及び秒針表示の一部又は全部でもよい。
また、変形例では、所定の時間帯ごとに異ならせる被写体画像を、時針表示、分針表示及び秒針表示としているが、時針表示、分針表示及び秒針表示の一部でもよい。
【００６７】
また、上記実施形態では、指針表示を異ならせる被写体画像の抽出元として、動画像データから切り出された被写体画像を用いているが、静止画から抽出された複数の被写体画像でもよい。
また、３つ以上の被写体画像を抽出する例として、１つの静止画の画像データから３つの被写体画像を抽出しているが、複数の画像データや１つの動画像から３つ以上の被写体画像を抽出してもよい。
【００６８】
また、上記実施形態のフローチャートにより示される処理順序は、本発明の特徴を逸脱しない範囲で変更可能である。
例えば、上記実施形態では、入力部１６の時計表示キーが操作された後に画像データの選択を行う順序としているが、時計表示キーの操作と画像データの選択の順序はこれに限らない。その一例として、画像表示装置１の表示部１２に画像データが表示された状態で時計表示キーを操作すると、その画像データから抽出された被写体画像を用いた時計表示を行う場合等が挙げられる。
【００６９】
加えて、上記実施形態にあっては、計時手段、抽出手段、表示手段、としての機能を、ＣＰＵ１８の制御下にて、計時部１１、表示部１２、被写体画像抽出部１４、表示制御部１７が駆動することにより実現される構成としたが、これに限られるものではなく、ＣＰＵ１８によって所定のプログラム等が実行されることにより実現される構成としても良い。
即ち、プログラムを記憶するプログラムメモリ（図示略）に、計時処理ルーチン、抽出処理ルーチン、表示処理ルーチン、を含むプログラムを記憶しておく。そして、計時処理ルーチンによりＣＰＵ１８を、時刻を計時する計時手段として機能させるようにしても良い。また、抽出処理ルーチンによりＣＰＵ１８を、被写体が存在する被写体存在画像から被写体画像を抽出する抽出手段として機能させるようにしても良い。また、表示処理ルーチンによりＣＰＵ１８を、計時処理ルーチンによって計時された時刻に対応した、抽出処理ルーチンにより抽出された被写体画像を指針として用いたアナログ時計を表示する表示手段として機能させるようにしても良い。
【符号の説明】
【００７０】
１    フォトフレーム
２    デジタルカメラ
１１  計時部
１２  表示部
１３  データ取得部
１４  被写体画像抽出部
１５  記憶部
１６  入力部
１７  表示制御部
１８  ＣＰＵ
【図１】
2011257323.tif 000003
【図２】
2011257323.tif 000004
【図３】
2011257323.tif 000005
【図４】
2011257323.tif 000006
【図５】
2011257323.tif 000007
【図６】
2011257323.tif 000008
【図７】
2011257323.tif 000009
【図８】
2011257323.tif 000010
【図９】
2011257323.tif 000011
【図１０】
2011257323.tif 000012
【図１１】
2011257323.tif 000013
【図１２】
2011257323.tif 000014